【手続補正書】
【提出日】平成18年3月28日(2006.3.28)
【手続補正１】
【補正対象書類名】明細書
【補正対象項目名】特許請求の範囲
【補正方法】変更
【補正の内容】
【特許請求の範囲】
【請求項１】
光ファイバ端部(11)を光学装置(13)の光導波路(12,31,32,33,34,35)の入力端(15,36)に位置合わせするための位置合わせシステム(10,30)であって、
前記光導波路の出力端(14,37)からの光を受けて、該受けた光を光ビームへと集束させるレンズ(2,22)であって、該光導波路が、前記光導波路の入力端から前記光学装置を通して該光導波路の出力端へと延在する光路に対応することからなる、レンズと、
単一の光センサ(3,23)であって、集束された前記光ビームを受光し、且つ、その集束された前記光ビームを前記レンズによって対応する電気信号へと変換する、単一の光センサと、
処理ロジック(4,5,6)であって、前記電気信号を受信し、且つ、該電気信号を処理して、前記光ファイバ端部が前記光導波路の入力端に位置合わせされているか否かを判定することからなる、処理ロジック
とを備える、位置合わせシステム。
【請求項２】
前記処理ロジック(4,5,6)が、前記光ファイバ端部が前記光導波路の入力端に位置合わせされていないと判定した場合には、前記光ファイバ端部(11)の空間的な位置決めを制御する運動制御システム(20)へと送られるフィードバック信号(16)を該処理ロジックが生成し、
前記運動制御システムによって前記フィードバック信号が受信された時には、該運動制御システムが、該受信されたフィードバック信号に従って前記光ファイバ端部の空間的な位置決めを調整することからなる、請求項１に記載の位置合わせシステム。
【請求項３】
前記運動制御システム(20)が、受信した前記フィードバック信号(16)に従って前記光ファイバ端部(11)の空間的な位置決めを調整した後には、該光ファイバの出力端から前記レンズ(2,22)によって受光された光は、再び該レンズにより光ビームへと変換されて、前記光センサ(3,23)上へと合焦させられ、
前記光センサは、前記光ファイバ端部が前記光導波路の入力端に位置合わせされているか否かを判定するために処理ロジック(4,5,6)により分析される電気信号を生成し、
前記処理ロジックが、前記光ファイバ端部が前記光導波路の入力端に位置合わせされていないと判定する場合には、該光ファイバ端部の動きを制御する運動制御システム(20)へと送られるフィードバック信号(16)を該処理ロジックが生成し、
前記運動制御システムによって前記フィードバック信号が受信される時には、該前記運動制御システムが、前記光ファイバ端部の空間的な位置決めを再度調整し、
前記処理ロジックが、フィードバック信号を生成し且つ該フィードバック信号を該運動制御システムへ送るために継続され、それにより、前記光ファイバ端部が前記光導波路の入力端に位置合わせされていると該処理ロジックが判定するまで、前記光ファイバ端部の空間的な位置決めが調整されることになることからなる、請求項１に記載の位置合わせシステム。
【請求項４】
前記単一の光センサ(3,23)が、単一のフォトダイオードであり、
前記レンズ(2,22)によって前記光導波路の出力端から前記フォトダイオード上へと受光される光を、該レンズ(2,22)が合焦させ、該フォトダイオードが、該フォトダイオード上に合焦された光を、前記光ファイバ端部が前記光導波路の入力端に位置合わせされているか否かを判定するために、前記処理ロジックにより処理される前記対応する電気信号へと変換し、
前記処理ロジックが、位置合わせアルゴリズムを実行することによって、前記光ファイバ端部が前記光導波路の入力端に位置合わせされているか否かを判定し、
前記単一のフォトダイオードによって生成された前記電気信号が、前記処理ロジックの電気処理回路によって処理された後に、前記位置合わせアルゴリズムが、前記単一のフォトダイオードによって生成された前記電気信号を受信し、
前記位置合わせアルゴリズムが、前記処理された電気信号を分析して、前記光ファイバ端部が前記光導波路の入力端に位置合わせされているか否かを判定し、
前記位置合わせアルゴリズムが、前記光ファイバ端部が前記光導波路の入力端に位置合わせされていないと判定した場合には、該位置合わせアルゴリズムを実行する前記処理ロジックが、フィードバック信号を生成して、該フィードバック信号を前記運動制御システムへと送り、それにより、前記運動制御システムが、前記光ファイバ端部の空間的な位置決めを調整させられることからなる、請求項１に記載の位置合わせシステム。
【請求項５】
光ファイバ端部(11)を光学装置(13,21)の光導波路(12,31,32,33,34,35)の入力端(15,36)に位置合わせするための方法であって、
受けた光を光ビームへと集束させるレンズ(2,22)によって前記光導波路の出力端(14,37)からの光を受け、
前記光ビームを単一の光センサ(3,23)上へと合焦させ、
前記光センサ(3,23)を介して、前記光ビームを、対応する電気信号へと変換し、
前記光センサにより生成された前記電気信号を、処理ロジック(4,5,6)によって処理して、前記光ファイバ端部(11)が前記光導波路(12,31,32,33,34)の入力端(15,36)に位置合わせされているか否かを判定する、
といった各ステップを含み、
前記光導波路は、該光導波路の前記入力端(15,36)から前記光学装置を通して該光導波路の出力端(14,37)へと延在する光路に対応することからなる、方法。
【請求項６】
処理ステップ中に、前記光ファイバ端部(11)が前記光導波路の入力端に位置合わせされていないと判定された場合には、
フィードバック信号(16)を生成し、
前記光ファイバ端部の動きと位置決めとを制御する運動制御システム(20)へ前記フィードバック信号を送信し、
前記運動制御システム(20)によって受信されたフィードバック信号(16)に従って前記光ファイバ端部(11)の空間的な位置決めを調整する、
といった各ステップを更に含むことからなる、請求項５に記載の方法。
【請求項７】
前記合焦する、変換する、処理する、生成する、送信する、及び調整する各ステップは、前記光ファイバ端部(11)が前記光導波路の入力端(15,36)に位置合わせされていると判定されるまで実行されることからなる、請求項６に記載の方法。
【請求項８】
前記単一の光センサ(3,23)が、単一のフォトダイオードであることからなる、請求項５に記載の方法。
【請求項９】
前記光ファイバ端部が前記光導波路の入力端に位置合わせされているか否かを判定するために、前記光導波路が存在する層を見つけたと前記処理ロジックが判定するまで前記運動制御システムにより受信された前記フィードバック信号に従って前記光学装置の１つか又は複数の層を横切って前記光ファイバ端部が、前記運動制御システムによって、走査させられ(41,42,43)、
前記処理ステップ中に、前記処理ロジックが、前記光導波路が存在する層を見つけたと判定した場合には、前記光導波路が存在することが判定された層に関して、フィードバック信号を生成し且つ送信するステップと、前記光ファイバ端部の空間的な位置決めを調整するステップとが実行されて(44,45,46)、これにより、前記光導波路が存在することがわかった前記層内における前記光導波路の入力端の位置が判定されるまで、前記運動制御システムによって、該光導波路が存在すると判定された前記層に沿って光ファイバ端部が走査させられることとなることからなる、請求項７に記載の方法。